(57)【特許請求の範囲】
【請求項１】
テキストデータに基づくイメージデータと、原稿画像の読取に基づくイメージデータとを混在させて送信する通信システムであって、
前記テキストデータと原稿画像の送信順序を、ページを単位として設定する設定手段と、
前記テキストデータをイメージデータに展開して送信する第１送信手段と、
前記原稿画像を読み取り、得られたイメージデータを送信する第２送信手段と、
前記設定手段で設定された送信順序に基づいて前記第１及び第２送信手段を切り換える制御手段と
を備えることを特徴とする通信システム。
【請求項２】
情報処理装置と通信端末を接続して構成される通信システムであって、
前記情報処理装置において、テキストデータに基づくイメージデータと、原稿画像の読取に基づくイメージデータの送信順序を該テキストデータ及び原稿画像のページを単位として設定する設定手段と、
前記通信端末において、前記情報処理装置よりテキストデータを受信し、これをイメージデータに展開して送信する第１送信手段と、
前記通信端末において、前記情報処理装置の指示により、原稿画像を読み取って得られたイメージデータを送信する第２送信手段と、
前記設定手段によって設定された送信順序に基づいて前記第１送信手段と第２送信手段を実行させる制御手段と
を備えることを特徴とする通信システム。
【請求項３】
前記通信端末は、原稿画像を読み取ってイメージデータを得る読取手段を備えたファクシミリ端末であり、
前記第２送信手段は、前記情報処理装置の指示に基づいて、前記読取手段による原稿画像の読み取りを実行し、得られたイメージデータを送信することを特徴とする請求項２に記載の通信システム。
【請求項４】
前記第２送信手段は、前記情報処理装置において原稿画像を読み取ってイメージデータを獲得し、得られたイメージデータを送信指示と共に前記通信端末に転送し、前記通信端末において受信したイメージデータを送信することを特徴とする請求項２に記載の通信システム。
【請求項５】
外部よりの指示に基づいて、該外部よりテキストデータを受信し、これをイメージデータに展開してイメージを送信する第１送信手段と、
外部よりの指示に基づいて、原稿画像を読み取って得られたイメージデータを送信する第２送信手段と、
外部よりの指示に基づいて前記第１送信手段と第２送信手段を、前記テキストデータと原稿画像のページを単位として切り換える制御手段とを備えることを特徴とする通信装置。
【請求項６】
原稿画像を読み取ってイメージデータを得る画像読取手段を更に備え、
前記第２送信手段は、外部よりの指示に基づいて、前記読取手段を実行し、得られたイメージデータを送信することを特徴とする請求項５に記載の通信装置。
【請求項７】
外部よりの指示に基づいて、該外部よりテキストデータを受信し、これをイメージデータに展開してイメージを送信する第１送信工程と、
外部よりの指示に基づいて、原稿画像を読み取って得られたイメージデータを送信する第２送信工程と、
外部よりの指示に基づいて前記第１送信工程と第２送信工程を前記テキストデータ及び原稿画像のページを単位として切り換える制御工程と
を備えることを特徴とする通信制御方法。
【請求項８】
通信端末の通信処理を制御する通信制御方法であって、
テキストデータと原稿画像の送信順序を、ページを単位として設定する設定工程と、
前記テキストデータの送信を指示する第１指示工程と、
前記原稿画像の送信を指示する第２指示工程とを備え、
前記設定工程で設定された送信順序に基づいて、前記第１指示工程もしくは第２指示工程による送信の指示を行うことを特徴とする通信制御方法。
【発明の詳細な説明】
【０００１】
【産業上の利用分野】
本発明は通信システム及び通信装置及び通信制御方法に関するものである。
【０００２】
【従来の技術】
ＰＣ（パーソナルコンピュータ）やＷＰ（ワードプロセッサ）で作成したテキストデータとイメージリーダで読取ったイメージデータを１回の通信でファクシミリ送信することが可能な通信装置がある。
【０００３】
従来のこの種の装置としては、特開平２−８１５６０号に記載されているように、まずテキストデータをイメージデータに展開しながら符号化しモデムを介して送信する。その後で、イメージリーダ部に原稿があればそこでイメージリーダによりイメージデータを読取り、得られたイメージデータを符号化し、モデムを介して送信するように構成されている。
【０００４】
この場合は、すべてのテキストデータが送信された後でイメージリーダ上の原稿のイメージが送信されることになり、テキストデータとイメージデータの順序は自由に設定できない。一方、テキストデータと、イメージとを自由な順序に組み合せて送信する場合には、イメージデータをいったんテキストデータのファイルの中に取り込み１つのファイルとして扱うように構成されている。
【０００５】
【発明が解決しようとする課題】
上記従来例では、テキストデータの送信を終了した後にイメージリーダ部に原稿があればそのイメージデータの送信を行なうように構成されている。このため、テキストデータとイメージデータを混在してファクシミリ送信する場合に、テキストデータの必要な場所、例えばテキストデータの１ページ目と２ページ目の間にイメージデータを挿入するといったことができないという問題があった。
【０００６】
さらに、上記従来例において、テキストデータとイメージデータとを所望の順序で送信する場合には、イメージデータをいったんＰＣで作成し、テキストデータと同一ファイルに取り込んでから送信を行う必要がある。このため、イメージデータが多い場合にはイメージデータ用のメモリが膨大になってしまい、大きなメモリがないと送信できなかったり、送信できるイメージデータの枚数が制限を受けるといった問題があった。
【０００７】
本発明は上記の問題に鑑みてなされたものであり、外部情報処理装置より送られてきたデータを展開して得られたイメージデータと、原稿画像を読み取って得られたイメージデータとを所望の順序でファクシミリ送信することを可能とする通信システム及び通信装置及び通信制御方法を提供することを目的とする。
【０００８】
【課題を解決するための手段】
上記の目的を達成するための本発明の通信システムは以下の構成を備えている。即ち、
テキストデータに基づくイメージデータと、原稿画像の読取に基づくイメージデータとを混在させて送信する通信システムであって、
前記テキストデータと原稿画像の送信順序を、ページを単位として設定する設定手段と、
前記テキストデータをイメージデータに展開して送信する第１送信手段と、
前記原稿画像を読み取り、得られたイメージデータを送信する第２送信手段と、
前記設定手段で設定された送信順序に基づいて前記第１及び第２送信手段を切り換える制御手段とを備える。
【００１０】
また、上記の目的を達成する本発明の他の構成による通信システムは、
情報処理装置と通信端末を接続して構成される通信システムであって、
前記情報処理装置において、テキストデータに基づくイメージデータと、原稿画像の読取に基づくイメージデータの送信順序を該テキストデータ及び原稿画像のページを単位として設定する設定手段と、
前記通信端末において、前記情報処理装置よりテキストデータを受信し、これをイメージデータに展開して送信する第１送信手段と、
前記通信端末において、前記情報処理装置の指示により、原稿画像を読み取って得られたイメージデータを送信する第２送信手段と、
前記設定手段によって設定された送信順序に基づいて前記第１送信手段と第２送信手段を実行させる制御手段とを備える。
【００１１】
また、好ましくは、前記通信端末は、原稿画像を読み取ってイメージデータを得る読取手段を備えたファクシミリ端末であり、前記第２送信手段は、前記情報処理装置の指示に基づいて、前記読取手段による原稿画像の読み取りを実行し、得られたイメージデータを送信する。読取手段を通信端末に具備させることにより、イメージデータを情報処理装置を介することなく直接通信することが可能になり、情報処理装置の係わる時間を少なくすることができる。また、既存のファクシミリ端末への適用が容易となる。
【００１２】
また、好ましくは、前記第２送信手段は、前記情報処理装置において原稿画像を読み取ってイメージデータを獲得し、得られたイメージデータを送信指示と共に前記通信端末に転送し、前記通信端末において受信したイメージデータを送信する。ファクシミリ端末に限らず、各種通信端末への適用が可能となるからである。
【００１３】
また、上記目的を達成するための本発明の通信装置は、
外部よりの指示に基づいて、該外部よりテキストデータを受信し、これをイメージデータに展開してイメージを送信する第１送信手段と、
外部よりの指示に基づいて、原稿画像を読み取って得られたイメージデータを送信する第２送信手段と、
外部よりの指示に基づいて前記第１送信手段と第２送信手段を切り換える制御手段と
を備える。
【００１４】
更に本発明によれば、上記通信システムを構成するための装置に適用される通信制御方法が提供される。
【００１５】
【作用】
上記の構成によれば、外部情報処理装置より送信されてきたテキストデータを展開して得られるイメージデータと、原稿画像の読取によって得られるイメージデータとを混在させて送信する通信システムが構成される。本通信システムは、外部情報処理装置より送信されてきたデータをイメージデータに展開して送信する第１送信手段と、原稿画像を読み取って得られたイメージデータを送信する第２送信手段とを備える。設定手段において、テキストデータと原稿画像の送信順序がページを単位として設定されると、制御手段は、設定された送信順序に基づいて上記第１及び第２送信手段を切り換えて実行する。
【００１６】
また、上記の目的を達成する本発明の他の構成によれば、情報処理装置と通信端末を接続して構成される通信システムが提供される。本通信システムは、通信端末において、情報処理装置よりテキストデータを受信し、これをイメージデータに展開して送信する第１送信手段と、通信端末において、前記情報処理装置の指示により、原稿画像を読み取って得られたイメージデータを送信する第２送信手段とを具備する。設定手段は、情報処理装置において、テキストデータに基づくイメージデータと、原稿画像の読取に基づくイメージデータの送信順序をページを単位として設定する。制御手段は、設定された送信順序に基づいて前記第１送信手段と第２送信手段を実行させる。
【００１７】
【実施例】
以下に添付の図面を参照して本発明の好適な実施例を説明する。
【００１８】
（実施例１）
図１は実施例１における通信装置の制御構成を表すブロック図である。同図において、ＣＰＵ１−１は、ＲＯＭ１−２に記憶されているプログラムに従ってファクシミリ端末全体を制御する。即ち、ＣＰＵ１−１は、ＲＡＭ１−３、不揮発性ＲＡＭ１−４、操作部１−５、表示部１−６、画像処理部１−７、読取部１−８、記録部１−９、駆動部１−１０、モデム１−１１、ＮＣＵ１−１２の制御を行う。更に、ＣＰＵ１−１は、ＤＴＥインタフェース１−１７を介しＤＴＥ（Ｄａｔａ  Ｔｅｒｍｉｎａｌ  Ｅｑｕｉｐｍｅｎｔ）とコマンドのやり取りを行う。
【００１９】
以下これらの各部について説明する。ＲＡＭ１−３は、読み取り部１−５によって読み取られた２値化画像データ、または記録部１−６で記録される２値化データを格納する。これらの２値化画像データは、モデム１−８によって変調され、ＮＣＵ１−１２を介して加入者回線（電話回線）１−１５上へ出力される。またＲＡＭ１−３は、加入者回線１−１５から入力されたアナログ波形をＮＣＵ１−１２およびモデム１−１１を介して復調し、その２値化データを格納するためにも用いられる。
【００２０】
不揮発性ＲＡＭ１−４はバッテリバックアップされたＳＲＡＭで、装置固有の電話番号、ユーザ略称等のデータや通信結果、着信拒否番号などが記憶されている。
【００２１】
操作部１−５は、送信、受信などのスタートキーと、送信画像におけるファイン、スタンダードなどの操作モードを指定するモードキーと、複写動作時におけるコピーキーと、通信装置のＤＴＥからのコマンドによる動作モードをオペレータが選択するモードキーと、動作を停止させるストップキー、モデムにより検出したＲＡＭ１−３に一時記憶された着信番号を不揮発性ＲＡＭ１−４に転送指示する転送キーなどから構成される。なお、ＣＰＵ１ー１はこれらのキーの押下状態を検出して、その状態に応じて各部を制御する。
【００２２】
表示部１−６は、ドットマトリクスタイプのＬＣとＬＣＤドライバから構成されておりＣＰＵ１−１からの制御に基づいて各種表示を行う。
【００２３】
読取部１−８は、ＤＭＡコントローラ、ＣＣＤもしくは密着型イメージセンサ（ＣＳ）、汎用ＩＣ及び２値化回路などから構成される。読取部１−８は、ＣＰＵ１−１の制御に従って、ＣＣＤまたはＣＳを使用して読み取ったデータを２値化し、その２値化データを順次ＲＡＭ１−３に送る。また、読み取った画像データを画像処理部１−７において２値化処理等の画像処理を施し、その結果を画像メモリ（ＲＡＭ１−３に含まれる）にその処理データを転送することもできる。
【００２４】
記録部１−９は、ＤＭＡコントローラ、Ｂ４／Ａ４サイズのサーマルヘッドまたはインクジェットプリンタヘッド及び汎用ＩＣなどによって構成される。記録部１−９は、ＣＰＵ１−１の制御によってＲＡＭ１−３に格納されている記録データを取り出し、これをハードコピーとしてプリントアウトする。
【００２５】
駆動部１−１０は、読取部１−８及び記録部１−９の給排紙ローラを駆動するためのステッピングモータと、モータの駆動力を伝達するためのギヤとモータを制御するためのドライバ回路などから構成される。
【００２６】
モデム１−１１は、Ｖ．３４，Ｖ．３２，Ｖ．３２ｂｉｓ，Ｖ．１７，Ｖ．２９，Ｖ．２７ｔｅｒ，Ｖ．２３，Ｖ．２１（Ｈ，Ｌ）モデムと、これらのモデムに接続されたクロック発生回路などから構成され、ＣＰＵ１−１の制御に基づいてＲＡＭ１−３に格納されている送信データを変調しＮＣＵ部１−９を介して加入者回線１−１５に出力するものである。さらにモデム１−１１は、加入者回線１−１５からのアナログ信号をＮＣＵ１−１２を介して導入し、これを復調して２値化したデータをＲＡＭ１−３に格納するものである。
【００２７】
ＮＣＵ１−１２は、直流の捕捉回路、交流の捕捉回路、Ｃｉ検出回路、２線４線変換回路からなり、加入者回線１−１５をモデム１−１１に接続するものである。さらに、ハンドセット（電話機）１−１４もＮＣＵ１−１２に接続可能である。
【００２８】
１−１５は、ＮＣＵ部１−９に接続する加入者回線である。センサ部１−１６は、記録紙幅センサ、記録紙有無センサ、原稿幅センサ及び、原稿有無センサから構成され、ＣＰＵ１−１の制御により、原稿及び記録紙の状態検知を行う。ＤＴＥインタフェース１−１７は、本通信端末と情報処理端末（ＤＴＥ）のインタフェース部であり、本実施例ではＲＳ−２３２Ｃインタフェースである。
【００２９】
また、これまで説明してきた通信端末に接続される情報処理端末（ここでは公知のパーソナルコンピュータであり、以下ＰＣと称する）１−１９はＤＴＥインタフェース１−１７とケーブルで接続される通信端末インタフェース１−１８を有する。本実施例におけるこの部分のインタフェース仕様はＲＳ−２３２Ｃインタフェースである。
【００３０】
次に図２〜図１０のフローチャートを参照して、本実施例１の動作について説明する。
【００３１】
図２乃至図５は実施例１の通信端末１００側の動作を表すフローチャートである。まず、ステップＳ１において本通信装置がＰＣ２００からのコマンドを受信可能な状態であるか否かを判断し、可能であればステップＳ２においてＰＣ２００に対しＲＥＡＤＹ信号を送出する。
【００３２】
次に、ステップＳ３においてＰＣ２００からのコマンドを待ち、コマンドを受信したらステップＳ４，１１，１７，２３，２９，３５においてそれぞれのコマンドに対する動作を行う。
【００３３】
まず、ステップＳ３において受信したコマンドがテキスト送信コマンドであればステップＳ５に進む。ステップＳ５においてＰＣ２００に対してＯＫを応答信号として返す。そして、ステップＳ６においてテキストデータをＰＣ２００から受信しながらステップＳ７においてイメージデータに展開する。ステップＳ８では展開されたイメージデータをＭＨまたはＭＲ，ＭＭＲコマンドに符号化し、モデム１−１１，ＮＣＵ１−１２を介して画情報を回線１−１５に送出する。ステップＳ９の判断により、１ページのテキストデータをＰＣ２００から受信し、それを全て符号化して送信するまで上記ステップＳ６〜ステップＳ８までの処理を繰り返す。１ページ分のテキストデータを送信し終えると、ステップＳ１０においてＥＮＤ信号をＰＣに対し送信してステップＳ３に戻る。
【００３４】
次にステップＳ３において受信したコマンドがイメージ送信コマンドであればステップＳ１１よりステップＳ１２へ進む。ステップＳ１２においてＰＣに対しＯＫを応答として返す。次に、ステップＳ１３において読取部１−８により、通新装置にセットされた原稿の読み取りを行い、画像処理部１−７で読取データを２値化する。ステップＳ１４では、この２値化されたイメージデータをＭＨまたはＭＲ，ＭＭＲコードに符号化し、モデム１−１１，ＮＣＵ１−１２を介して画情報として回線１−１５に送出する。ステップＳ１５において１枚の原稿を読み取り、データを送信し終えたか否かを判断する。終了していればステップＳ１６へ進み、ＰＣ２００に対してＥＮＤ信号を送信してステップＳ３に戻る。
【００３５】
次にステップＳ３において受信したコマンドがＭＰＳコマンドであればステップＳ１７よりステップＳ１８へ進む。ステップＳ１８においてＰＣ２００に対しＯＫを応答として返す。続いて、ステップＳ１９においてＭＰＳ信号を回線１−１５に対し送出し、ステップＳ２０において交信相手のファクシミリ装置とＴ．３０の後手順を行なう。そしてステップＳ２１においてＭＣＦ信号を受信したら、後手順の終了をＰＣ２００に知らせるためにステップＳ２２においてＥＮＤ信号をＰＣ２００に対し送信する。その後、ステップＳ３へ戻り、再びコマンド待ちの状態となる。
【００３６】
次にステップＳ３において受信したコマンドがＥＯＭコマンドであればステップＳ２３からステップＳ２４へ進む。ステップＳ２４においてＰＣ２００に対してＯＫを応答として返し、ステップＳ２５においてＥＯＭ信号を回線１−１５に対し送出する。そして、ステップＳ２６において交信相手のファクシミリとＴ．３０の手順を行なう。そして、ステップＳ２７においてＣＦＲ信号の受信を待ち、これを受信したら後手順の終了をＰＣ２００に知らせるためにステップＳ２８においてＥＮＤ信号をＰＣ２００に対して送信しする。その後、ステップＳ３のコマンド待ちに戻る。
【００３７】
次にステップＳ３において受信したコマンドがＥＯＰコマンドであればステップＳ２９よりステップＳ３０へ進む。ステップＳ３０においてＰＣ２００に対しＯＫを応答として返し、ステップＳ３１においてＥＯＰ信号を回線１−１５に対し送出する。ステップＳ３１において交信相手のファクシミリとＴ．３０の後手順を行ない、後手順が終了したら、後手順の終了をＰＣ２００に知らせるためにステップＳ３３においてＥＮＤ信号をＰＣ２００に対して送信する。そして、ステップＳ３４において回線１−１５を解放し、ステップＳ３のコマンド待ちに戻る。
【００３８】
次に、ステップＳ３において受信したコマンドが送信開始であれば処理はステップＳ３５からステップＳ３６へ進む。なお、送信開始コマンドは、ファクシミリ送信時にはＰＣ２００から真っ先に送られてくるものである。ステップＳ３６においてＰＣ２００に対しＯＫを応答として返し、ステップＳ３７においてＴ．３０におけるファクシミリ送信の前手順を行う。そして、ステップＳ３８において相手からＣＦＲ信号を受信するのを待ち、受信したらステップＳ３９へ進む。ステップＳ３９では、ＰＣ２００に対して画情報を送信可能な状態であることをＰＣ２００に知らせるために、ＥＮＤ信号をＰＣ２００に対して送信し、ステップＳ３のコマンド待ちに戻る。
【００３９】
次にフローチャート図６，図７，図８，図９，図１０に基づいて通信端末１００に接続されるＰＣ２００のファクシミリ送信時の動作について説明する。図６〜図１０はＰＣのファクシミリ送信時の動作を表すフローチャートである。
【００４０】
本送信モードの実施前に、送信セットモードで、テキストデータと接続された本通信端末により読み取ったイメージデータとをどの様な組合せで送信相手に対し送信するかをＰＣ２００上のアプリケーションソフトによりセットする必要がある。まず、この送信セットモードについて図６に基づき説明する。
【００４１】
ステップＳ５１においてオペレータに対しテキストデータを通信端末１００を使用して送信するかどうか入力させる。ここで、テキストデータを送信する必要がなければステップＳ５１からステップＳ５３へ進みイメージ送信の設定に移る。一方、通信端末１００によりテキストデータを送信するならばステップＳ５２に進み、送信したいテキストデータを選択し、その送信枚数を指定する。
【００４２】
次に、ステップＳ５３において、通信端末１００にセットされている原稿を送信したい場合には、ステップＳ５４においてその送信枚数と送信モード（ファイン／標準，ＭＲ／ＭＨ，ハーフトーン／２値等）をオペレータに入力させる。次にステップＳ５５において原稿送信した後にテキストデータの送信をする必要があればステップＳ５２に戻り、再度テキストデータの入力モードになる。もう入力の必要がなければステップＳ５３またはステップＳ５５から本入力モードを終了させる。
【００４３】
この動作によりオペレータがテキストデータとイメージデータの混在したファクシミリ通信をセットできる。例えば、テキストデータを１枚送信した後に通信装置にセットされた原稿を５枚送信ファインで送信し、再度ＰＣで作成したテキストデータを５枚送信し、再度その後に通信装置にセットされている原稿を１枚標準で送信するようにＰＣでセットすることが可能になる。
【００４４】
次に、図７，図８，図９，図１０のフローチャートを参照して実際の送信を行う時のＰＣ２００の動作について説明する。
【００４５】
ＰＣ２００でファクシミリ送信モードを実行すると、まずステップＳ１０１において通信端末１００に送信開始コマンドを送出し、通信端末１００より応答としてＯＫが返ってくるまで一定周期毎にコマンドを再送する。
【００４６】
ステップＳ１０２においてＯＫを受信したら、ステップＳ１０３において通信端末１００からＥＮＤ信号が返ってくるのを待つ。そして、ＥＮＤが返ってきたら通信端末１００が画像信号を送信可能になったということなので、ステップＳ１０４に進み、画像信号の送信処理を開始する。
【００４７】
まず、ステップＳ１０４において、本転送処理において前述の送信セットモードで設定した情報に基づき、テキストデータを送信する必要があるか否かを判断する。必要があればステップＳ１０５においてテキストデータの送信動作を行う。一方、テキストデータを送信する必要がなければステップＳ１１４以降の処理（イメージデータの送信処理）を行う。
【００４８】
テキストデータを送信する場合には、ステップＳ１０５において通信端末１００に対してテキスト送信コマンドを送出し、ＯＫが返ってくるまで一定周期毎にコマンドを再送する。
【００４９】
ステップＳ１０６においてＯＫを受信したら、ステップＳ１０７においてテキストデータを通信端末に対し転送し、１ページのテキストデータを転送するまで繰り返す（ステップＳ１０８）。
【００５０】
次に、ステップＳ１０９において通信端末１００から１ページ分のテキストデータを送出終了したことを表すＥＮＤ信号を受信するまで待ち、ＥＮＤ信号を受信したら、ステップＳ１１０に進む。ステップＳ１１０では、次に送信するテキストデータがあるかどうかを判断し、次に送信すべきテキストデータページが存在すれば（送信セットモードで設定した送信枚数をまだ送信し終えていない場合）、ステップＳ１１１においてＭＰＳコマンドを送出する。そして、通信端末１００よりＯＫが返ってくるまで一定周期毎にコマンドを再生する。ステップＳ１１２においてＯＫを受信したらステップＳ１１３において次のページのテキストデータを送信可能になったことを示すＥＮＤ信号を受信するまで待ち、ＥＮＤ信号を受信したらステップＳ１０５に戻り上述の動作を繰り返す。
【００５１】
一方、ステップＳ１１０において送信すべきテキストデータページが存在しなければ（送信セットモードにおいて設定した送信枚数を送信した場合）ステップＳ１１４に進む。ステップＳ１１４においてＰＣ２００の送信セットモードにおいて、“通信端末１００にセットされている原稿を送信するようにセットされている”かどうかを判断する。原稿を送る必要がなければ送信終了の処理に移る。即ち、ステップＳ１１５においてＥＯＰ送出コマンドを通信端末１００に転送し、ＯＫが応答として返ってくるまで一定周期毎にコマンドを再送する。そして、ＯＫを受信したらステップＳ１１７においてＥＮＤ信号を待ち、ＥＮＤ信号を受信したら通信端末１００による本ファクシミリ通信が終了したとして本送信モード処理を終了する。
【００５２】
次に、ステップＳ１１４において原稿を送信するようにセットされていれば、ステップＳ１１８に進む。ステップＳ１１８では、テキストデータの送信時の解像度と異なる解像度で原稿の読み取りを行うかどうか判断し、異なる解像度で送信する場合（解像度は送信セットモードで設定されている）にはモードチェンジを行う。即ち、ステップＳ１１９においてＥＯＭコマンドを通信端末１００に対して送出し、ＯＫが応答として返ってくるまで一定周期毎にコマンドを送出する。ＯＫ信号を受信するとステップＳ１２１へ進む。
【００５３】
一方、ステップＳ１１８で解像度を変更する必要がなければステップＳ１２２に進む。ステップＳ１２２においては、ＥＯＭコマンドの替わりにＭＰＳコマンドを送出する。ステップＳ１２３においてＯＫを受信したらステップＳ１２１に進む。
【００５４】
ステップＳ１２１では、画情報を送出可能であることをＰＣ２００に対して通知する信号であるＥＮＤ信号を受信するまで待つ。ステップＳ１２１においてＥＮＤ信号を受信したら、ステップＳ１２４に進む。ステップＳ１２４において、イメージ送信コマンドを通信端末に対して送出し、ＯＫが返ってくるまで一定周期毎にコマンドを再送する（ステップＳ１２５）。
【００５５】
ステップＳ１２５においてＯＫを受信したら、ステップＳ１２６において通信端末から１ページ分のイメージデータを送信終了したことを表すＥＮＤ信号を受信するまで待る。ＥＮＤ信号を受信したら、ステップＳ１２７において次に送信するイメージデータ（原稿）があるかどうか判断し、次に送信すべき原稿が存在すれば（送信セットモードにおいて設定した枚数をまだ送信していない場合）ステップＳ１２８においてＭＰＳコマンドを送出する。そして、ＯＫが返ってくるまで一定周期毎にコマンドを再送し（ステップＳ１２９）、ＯＫを受信したらステップＳ１３０に進む。ステップＳ１３０では、次のページの原稿が送信可能になったことを示すＥＮＤ信号を受信するまで待ち、ＥＮＤ信号を受信したらステップＳ１０５に戻り上記の動作を繰り返す。
【００５６】
また、ステップＳ１２７において送信すべき原稿が存在しなければステップＳ１３１に進む。ＰＣ２００の送信セットモードにおいて、次に送信すべきテキストデータがセットされているかどうか判断する。テキストデータを送信する必要がなければステップＳ１３２に進み、終了処理に移行する。即ち、ステップＳ１３２おいてＥＯＰコマンドを通信端末１００に送信する。なお、本コマンドも、ＯＫが応答として返ってくるまで一定周期毎に再送される。ＯＫ信号を受信したらステップＳ１３４においてＥＮＤ信号を待ち、ＥＮＤ信号を受信したら通信端末１００による本ファクシミリ通信が終了したとして送信モードを終了する。
【００５７】
一方、ステップＳ１３１において次のテキストデータを通信するようにセットされていれば（送信セットモードで設定される）ステップＳ１３５に進む。ステップＳ１３５では、イメージデータ（原稿）の送信時の解像度と異なる解像度でテキストデータを送信するかどうか判断する。異なる解像度で送信する場合にはモードチェンジをする必要がるために、ステップＳ１３６においてＥＯＭコマンドを通信端末１００に対して送出し、ＯＫが応答として返ってくるまで一定周期毎にコマンドを送出する。そして、ＯＫを受信するとステップＳ１３８へ進む。
【００５８】
一方、ステップＳ１３５において解像度の変更を行わない場合にはステップＳ１３９に進む。ステップＳ１３９では、ＭＰＳコマンドをステップＳ１３６のＥＯＭの代わりに送出する。ステップＳ１３７においてＯＫを受信したらステップＳ１３８へ進む。ステップＳ１３８では、画情報を送出可能であることをＰＣ２００に対して通知する信号であるＥＮＤ信号を受信するまで待つ。ＥＮＤ信号を受信したらステップＳ１０５以降の動作に戻り、テキストデータの送信を行う。
以上説明したように、実施例１によれば、１回の通信によりイメージデータとテキストデータを混在して送信する場合において、テキストデータの送信枚数とイメージデータの送信枚数／送信モードを任意に設定するための手段を情報処理端末（ＰＣ２００）に設け、イメージデータをＰＣ２００に取り込むことなく所望の順序でテキストデータとイメージデータの転送を行うことが可能となる。
【００５９】
このため、
１．テキストデータとイメージデータを自由に組み合せて１回の通信で相手ファクシミリに通信することができる．
２．複数のイメージデータをいったんＰＣ２００にデータとして取り込むことなく、最大１ページのデータさえ記憶できればよく、大きなメモリがなくともテキストデータとイメージデータの混在通信が可能となる．
３．送信できるイメージデータの枚数に対して、ＰＣ２００のメモリによる制限が加わらない．
という効果がある。
【００６０】
更に、イメージリーダ＋通信端末としてファクシミリ端末を使用することにより、ＰＣはイメージデータをいっさいデータとして管理する必要がなくなり、イメージデータ用のメモリがなくともイメージデータとテキストデータの混在通信ができるという効果がある。
【００６１】
（実施例２）
実施例１においてはＰＣに接続される端末として、ＰＣとのインタフェースを有するファクシミリ端末とした。これに対して、実施例２では、図１１に示す様に、ファクシミリ端末以外の通信端末１００’（モデムＢＯＸ，モデムカード等で構成され、イメージリーダを持たない）を、イメージリーダが接続されたＰＣ２００と接続して構成する。
【００６２】
この場合、通信端末１００’における動作及びＰＣ２００における動作は、上述の実施例１とほぼ同様であるが、以下に相違点を説明する。対し、上述の前出フローチャート図の図３，図９を図１２，図１３の様に変更することにより実現できる。
【００６３】
図１２は実施例２における通信端末の動作の、実施例１の図３に示す部分に相当する処理を説明するフローチャートである。ここで変更点のみ説明すると、図３のステップＳ１３で通信端末で読み取ったイメージデータの代わりに、図１２のステップＳ１３’においては、ＰＣ２００からのイメージデータを使用する。
【００６４】
また、図１３は実施例２におけるＰＣの動作の、実施例１の図９に示す部分に相当する処理を説明するフローチャートである。図９のステップＳ１２５とステップＳ１２６の間に、ステップＳ１５０とステップＳ１５１が挿入されている。ＰＣよりイメージ送信コマンドを送出し、ＯＫを受信すると、ステップＳ１５０において原稿をイメージリーダで読み取る。そして、ステップＳ１５１において、ステップＳ１５０で得られたイメージデータを、１ページ分通信端末１００’に転送する。
【００６５】
以上説明した様に、実施例２によれば、テキストデータとイメージデータを所望の順序で送信することを可能とすると共に、通信端末をファクシミリ装置として用いることが可能となる。
【００６６】
尚、上記実施例では、データ送信の順序を枚数単位で設定するが、テキストデータに関しては、データの格納ファイル単位で設定できる様にしても良い。
【００６７】
尚、本発明は、複数の機器から構成されるシステムに適用しても、１つの機器から成る装置に適用しても良い。また、本発明はシステム或は装置にプログラムを供給することによって達成される場合にも適用できることはいうまでもない。
【００６８】
【発明の効果】
以上説明した様に、本発明によれば、原稿画像を読み取って得られたイメージデータと、外部情報処理装置より送られてきたテキストデータを展開して得られたイメージデータとを、各イメージデータが表す画像のページを単位として、所望の順序でファクシミリ送信することが可能となる。
【００６９】
【図面の簡単な説明】
【図１】実施例１における通信システムの制御構成を表すブロック図である。
【図２】実施例１の通信端末の動作を表すフローチャートである。
【図３】実施例１の通信端末の動作を表すフローチャートである。
【図４】実施例１の通信端末の動作を表すフローチャートである。
【図５】実施例１の通信端末の動作を表すフローチャートである。
【図６】ＰＣによるファクシミリ送信時の動作を表すフローチャートである。
【図７】ＰＣによるファクシミリ送信時の動作を表すフローチャートである。
【図８】ＰＣによるファクシミリ送信時の動作を表すフローチャートである。
【図９】ＰＣによるファクシミリ送信時の動作を表すフローチャートである。
【図１０】ＰＣによるファクシミリ送信時の動作を表すフローチャートである。
【図１１】実施例２における通信システムの制御構成を表すブロック図である。
【図１２】実施例２における通信端末の動作の、実施例１の図３に示す部分に相当する処理を説明するフローチャートである。
【図１３】実施例２におけるＰＣの動作の、実施例１の図９に示す部分に相当する処理を説明するフローチャートである。
【符号の説明】
１−１  ＣＰＵ
１−２  ＲＯＭ
１−３  ＲＡＭ
１−４  不揮発性ＲＡＭ
１−５  操作部
１−６  表示部
１−７  画像処理部
１−８  読取部
１−９  記録部
１−１０  駆動部
１−１１  モデム
１−１２  ＮＣＵ
１−１３  発呼側電話番号検出部
１−１４  電話機
１−１５  電話回線
１−１６  センサ部
１−１７  ＤＴＥインタフェース部
１−１８  通信端末インタフェース部
１−１９  情報処理端末
【図１】
0003599408.tif 000002
【図２】
0003599408.tif 000003
【図３】
0003599408.tif 000004
【図４】
0003599408.tif 000005
【図５】
0003599408.tif 000006
【図６】
0003599408.tif 000007
【図７】
0003599408.tif 000008
【図８】
0003599408.tif 000009
【図９】
0003599408.tif 000010
【図１０】
0003599408.tif 000011
【図１１】
0003599408.tif 000012
【図１２】
0003599408.tif 000013
【図１３】
0003599408.tif 000014